(57)【要約】【課題】コンテンツ情報からコンテンツを選択する操作の効率を向上させることができる表示処理装置を提供する。【解決手段】コンテンツを識別するコンテンツ情報を表示装置に表示する表示処理装置であって、前記コンテンツ情報を取得するコンテンツ情報取得手段と、前記コンテンツ情報取得手段において取得されたコンテンツ情報に含まれる、コンテンツが記録された記録装置の装置情報を基に、前記記録装置から前記コンテンツ情報に係るコンテンツを取得できるか否かを判定する判定手段と、前記判定手段において取得できないと判定された場合に、前記コンテンツ情報の表示の変更を行う表示制御手段と、を有することを特徴とする。【選択図】  図３
2009017356.tif 000002
【特許請求の範囲】
【請求項１】
コンテンツを識別するコンテンツ情報を表示装置に表示する表示処理装置であって、
前記コンテンツ情報を取得するコンテンツ情報取得手段と、
前記コンテンツ情報取得手段において取得されたコンテンツ情報に含まれる、コンテンツが記録された記録装置の装置情報を基に、前記記録装置から前記コンテンツ情報に係るコンテンツを取得できるか否かを判定する判定手段と、
前記判定手段において取得できないと判定された場合に、前記コンテンツ情報の表示の変更を行う表示制御手段と、
を有することを特徴とする表示処理装置。
【請求項２】
前記判定手段において取得できないと判定された場合に、前記コンテンツ情報に係るコンテンツの評価値を算出する評価値算出手段を更に有し、
前記表示制御手段は、前記評価値算出手段において算出された評価値に基づいて、前記コンテンツ情報の表示の変更を行うことを特徴とする請求項１に記載の表示処理装置。
【請求項３】
前記表示制御手段は、所定時間経過後に、前記コンテンツ情報の表示の変更を行うことを特徴とする請求項１又は２に記載の表示処理装置。
【請求項４】
前記評価値算出手段は、前記評価値を算出する対象のコンテンツと同一のコンテンツが、記録されているか否かに基づいて評価値を算出することを特徴とする請求項２に記載の表示処理装置。
【請求項５】
前記評価値算出手段は、前記評価値を算出する対象のコンテンツの表示履歴情報に基づいて評価値を算出することを特徴とする請求項２に記載の表示処理装置。
【請求項６】
前記評価値算出手段は、前記評価値を算出する対象のコンテンツを記憶した記録装置に係る接続履歴情報に基づいて評価値を算出することを特徴とする請求項２に記載の表示処理装置。
【請求項７】
コンテンツを記憶する記録装置の情報を登録する登録手段を更に有し、
前記評価値算出手段は、前記評価値を算出する対象のコンテンツを記憶した記録装置が、前記登録手段において登録されているか否かに基づいて評価値を算出することを特徴とする請求項２に記載の表示処理装置。
【請求項８】
前記表示制御手段は、前記判定手段において取得できないと判定された場合に、コンテンツを取得できない理由、又は取得できないコンテンツの属性情報を前記表示装置に表示することを特徴とする請求項１乃至７の何れか１項に記載の表示処理装置。
【請求項９】
前記表示装置に表示されたコンテンツ情報のうち、何れか一つのコンテンツ情報の選択を検出する選択検出手段と、
前記選択検出手段において検出されたコンテンツ情報に係るコンテンツを取得できるか否かを判定する選択判定手段と、
前記選択判定手段において取得できないと判定された場合に、コンテンツ情報の選択を、取得できるコンテンツのコンテンツ情報の選択に変更する選択変更手段と、
を更に有することを特徴とする請求項１乃至８の何れか１項に記載の表示処理装置。
【請求項１０】
ユーザの変更操作により、前記選択検出手段において検出されたコンテンツ情報の選択の変更を検出する選択変更検出手段を更に有し、
前記選択判定手段は、前記選択変更検出手段において検出されたコンテンツ情報に係るコンテンツを取得できるか否かを判定することを特徴とする請求項９に記載の表示処理装置。
【請求項１１】
前記選択判定手段は、コンテンツ情報に含まれる、コンテンツが記録された記録装置の装置情報を基に、前記記録装置から前記コンテンツ情報に係るコンテンツを取得できるか否かを判定することを特徴とする請求項９又は１０に記載の表示処理装置。
【請求項１２】
コンテンツを識別するコンテンツ情報を表示装置に表示する表示処理装置における表示処理方法であって、
前記コンテンツ情報を取得するコンテンツ情報取得ステップと、
前記コンテンツ情報取得ステップにおいて取得されたコンテンツ情報に含まれる、コンテンツが記録された記録装置の装置情報を基に、前記記録装置から前記コンテンツ情報に係るコンテンツを取得できるか否かを判定する判定ステップと、
前記判定ステップにおいて取得できないと判定された場合に、前記コンテンツ情報の表示の変更を行う表示制御ステップと、
を有することを特徴とする表示処理方法。
【請求項１３】
前記判定ステップにおいて取得できないと判定された場合に、前記コンテンツ情報に係るコンテンツの評価値を算出する評価値算出ステップを更に有し、
前記表示制御ステップでは、前記評価値算出ステップにおいて算出された評価値に基づいて、前記コンテンツ情報の表示の変更を行うことを特徴とする請求項１２に記載の表示処理方法。
【請求項１４】
前記表示制御ステップでは、所定時間経過後に、前記コンテンツ情報の表示の変更を行うことを特徴とする請求項１２又は１３に記載の表示処理方法。
【請求項１５】
前記評価値算出ステップでは、前記評価値を算出する対象のコンテンツと同一のコンテンツが、記録されているか否かに基づいて評価値を算出することを特徴とする請求項１３に記載の表示処理方法。
【請求項１６】
前記評価値算出ステップでは、前記評価値を算出する対象のコンテンツの表示履歴情報に基づいて評価値を算出することを特徴とする請求項１３に記載の表示処理方法。
【請求項１７】
前記評価値算出ステップでは、前記評価値を算出する対象のコンテンツを記憶した記録装置に係る接続履歴情報に基づいて評価値を算出することを特徴とする請求項１３に記載の表示処理方法。
【請求項１８】
コンテンツを記憶する記録装置の情報を登録する登録ステップを更に有し、
前記評価値算出ステップでは、前記評価値を算出する対象のコンテンツを記憶した記録装置が、前記登録ステップにおいて登録されているか否かに基づいて評価値を算出することを特徴とする請求項１３に記載の表示処理方法。
【請求項１９】
前記表示制御ステップでは、前記判定ステップにおいて取得できないと判定された場合に、コンテンツを取得できない理由、又は取得できないコンテンツの属性情報を表示することを特徴とする請求項１２乃至１８の何れか１項に記載の表示処理方法。
【請求項２０】
前記表示装置に表示されたコンテンツ情報のうち、何れか一つのコンテンツ情報の選択を検出する選択検出ステップと、
前記選択検出ステップにおいて検出されたコンテンツ情報に係るコンテンツを取得できるか否かを判定する選択判定ステップと、
前記選択判定ステップにおいて取得できないと判定された場合に、コンテンツ情報の選択を、取得できるコンテンツのコンテンツ情報の選択に変更する選択変更ステップと、
を更に有することを特徴とする請求項１２乃至１９の何れか１項に記載の表示処理方法。
【請求項２１】
ユーザの変更操作により、前記選択検出ステップにおいて検出されたコンテンツ情報の選択の変更を検出する選択変更検出ステップを更に有し、
前記選択判定ステップでは、前記選択変更検出ステップにおいて検出されたコンテンツ情報に係るコンテンツを取得できるか否かを判定することを特徴とする請求項２０に記載の表示処理方法。
【請求項２２】
前記選択判定ステップでは、コンテンツ情報に含まれる、コンテンツが記録された記録装置の装置情報を基に、前記記録装置から前記コンテンツ情報に係るコンテンツを取得できるか否かを判定することを特徴とする請求項２０又は２１に記載の表示処理方法。
【請求項２３】
コンテンツを識別するコンテンツ情報を表示装置に表示する表示処理装置における表示処理を行うプログラムであって、
前記コンテンツ情報を取得するコンテンツ情報取得ステップと、
前記コンテンツ情報取得ステップにおいて取得されたコンテンツ情報に含まれる、コンテンツが記録された記録装置の装置情報を基に、前記記録装置から前記コンテンツ情報に係るコンテンツを取得できるか否かを判定する判定ステップと、
前記判定ステップにおいて取得できないと判定された場合に、前記コンテンツ情報の表示の変更を行う表示制御ステップと、
をコンピュータに実行させるためのプログラム。
【請求項２４】
請求項２３に記載のプログラムを記録したコンピュータ読取可能な記録媒体。
【発明の詳細な説明】
【技術分野】
【０００１】
本発明は、表示処理装置及び表示処理方法に関する。
【背景技術】
【０００２】
近年、各種コンテンツを表示したり、ある特定の順序でコンテンツの代表画像や属性情報等の参照情報（以下、コンテンツ情報という）を一覧表示したりするＰＣ（Ｐｅｒｓｏｎａｌ  Ｃｏｍｐｕｔｅｒ）等の表示処理装置が普及している。各種コンテンツは、表示処理装置に設けられた記憶装置、表示処理装置に接続された記憶媒体、又は表示処理装置にネットワークを介して接続された記録装置に記憶されている。
【０００３】
このような表示処理装置において、ユーザは、各種コンテンツ情報を表示装置に表示できない場合が生じる。例えば、コンテンツを記憶している記録装置の電源が切られている場合や、記憶媒体が表示処理装置に接続されていない場合等は、ユーザはコンテンツ情報を表示処理装置で表示させることができない。
【０００４】
各種コンテンツを記憶する記録装置や記憶媒体等に対して、表示処理装置がアクセスすることができなくなった場合、表示処理装置は、アクセスすることができなくなったコンテンツのコンテンツ情報を表示画面等から単に削除する。
【０００５】
また、特許文献１には、ネットワークファイル共有システムにおいて、アクセス頻度の高いファイルはクライアントにコピーして保持し、クライアントの記憶容量が十分でない場合には、削除規則テーブルに従ってファイルを削除する技術が開示されている。
【０００６】
【特許文献１】特開平７−２８６８５号公報
【発明の開示】
【発明が解決しようとする課題】
【０００７】
しかしながら、上述したコンテンツ情報を表示画面等から単に削除する表示処理装置では、各種コンテンツを記憶する記録装置や記憶媒体等にアクセスすることができなくなったことに気付かず、延々とコンテンツを探す状況が起こり得る。
【０００８】
また、特許文献１の従来技術では、クライアントの記憶容量が十分である場合は、記憶するファイルが大量になってしまう。従って、ユーザは、必要のないコンテンツ情報から検索しなければならず、コンテンツ情報からコンテンツを選択する操作の効率が悪い問題がある。
【０００９】
本発明は、上述したような問題点に鑑みてなされたものであり、コンテンツ情報からコンテンツを選択する操作の効率を向上させることを目的とする。
【課題を解決するための手段】
【００１０】
本発明の表示処理装置は、コンテンツを識別するコンテンツ情報を表示装置に表示する表示処理装置であって、前記コンテンツ情報を取得するコンテンツ情報取得手段と、前記コンテンツ情報取得手段において取得されたコンテンツ情報に含まれる、コンテンツが記録された記録装置の装置情報を基に、前記記録装置から前記コンテンツ情報に係るコンテンツを取得できるか否かを判定する判定手段と、前記判定手段において取得できないと判定された場合に、前記コンテンツ情報の表示の変更を行う表示制御手段と、を有することを特徴とする。
【００１１】
また、本発明の表示処理方法は、コンテンツを識別するコンテンツ情報を表示装置に表示する表示処理装置における表示処理方法であって、前記コンテンツ情報を取得するコンテンツ情報取得ステップと、前記コンテンツ情報取得ステップにおいて取得されたコンテンツ情報に含まれる、コンテンツが記録された記録装置の装置情報を基に、前記記録装置から前記コンテンツ情報に係るコンテンツを取得できるか否かを判定する判定ステップと、前記判定ステップにおいて取得できないと判定された場合に、前記コンテンツ情報の表示の変更を行う表示制御ステップと、を有することを特徴とする。
【００１２】
また、本発明は、プログラム及び記憶媒体としてもよい。
【発明の効果】
【００１３】
本発明によれば、コンテンツ情報からコンテンツを選択する操作の効率を向上させることができる。
【発明を実施するための最良の形態】
【００１４】
以下、図面を参照して本発明に係る実施形態について説明する。
（第１の実施形態）
図１は、第１の実施形態に係る表示処理装置のハードウェア構成の一例を示す図である。
表示処理装置１は、ＣＰＵ１０２と、ＲＯＭ１０３と、ＲＡＭ１０４と、記憶装置１０５と、入力装置１０６と、表示装置１０７と、通信インタフェース１０８と、計時装置１０９と、を含んで構成される。各構成は、バス１０１を介して接続されている。また、表示処理装置１には、通信インタフェース１０８を介して記録装置１１１が接続されている。
【００１５】
ＣＰＵ１０２は、各種処理のための演算や論理判断等を行い、バス１０１に接続された各構成要素を制御する。ＲＯＭ１０３には、表示処理装置１の起動時に最初にＣＰＵ１０２によって実行されるプログラムが記録されている。ＲＡＭ１０４は、ＣＰＵ１０２がプログラムを実行するときのワーク用のメモリとして用いられ、ＣＰＵ１０２により処理されたデータ等が一時的に記憶される。記憶装置１０５は、本実施形態に係るプログラムを記憶するハードディスク等の記憶装置である。また、ＲＡＭ１０４又は記憶装置１０５には、コンテンツのコンテンツ情報が記憶される。ここで、コンテンツ情報とは、コンテンツの代表画像（サムネイル）、コンテンツの属性情報、コンテンツが記録されている記録装置の装置情報等を含む情報である。また、コンテンツの属性情報とは、コンテンツのタイトル、コンテンツの作成日時及びコンテンツのサイズ等を含む情報である。
【００１６】
入力装置１０６は、キーボード、マウス、リモコン装置等である。ユーザは入力装置１０６を用いて、例えば、表示装置１０７に表示されたコンテンツ情報を選択したり、コンテンツの再生等の指示をしたりすることができる。表示装置１０７は、ＬＣＤ等のディスプレイである。表示装置１０７には、コンテンツやコンテンツ情報が表示される。
【００１７】
通信インタフェース１０８は、表示処理装置１に接続される記憶媒体や、ネットワークを介して接続される記録装置１１１等の外部機器を接続する。表示処理装置１は、通信インタフェース１０８を通じて、記録装置１１１等の外部機器の接続及び接続解除を認識する。また、表示処理装置１は、通信インタフェース１０８を通じて、コンテンツやコンテンツ情報を記録装置１１１等の外部機器より取得する。計時装置１０９は、一定時間の計時と現在時間とを管理する。記録装置１１１は、コンテンツ（及びコンテンツ情報）を記憶している。なお、記録装置１１１は、１つに限られず、複数であってもよい。表示処理装置１は、通信インタフェース１０８を介して、記録装置１１１に記憶されたコンテンツを取得し、取得したコンテンツを表示装置１０７に表示する。
【００１８】
図２は、第１の実施形態に係る表示処理装置の機能構成の一例を示す図である。図２に示される機能構成は、ＣＰＵ１０２が記憶装置１０５に記録されたプログラムを実行することにより実現される。
図２において、表示処理装置１は、コンテンツ情報保持部２０１と、評価値算出部２０２と、接続検知部２０３と、コンテンツ情報削除部２０４と、表示制御部２０５と、計時制御部２０６と、コンテンツ表示履歴記憶処理部２０７と、記録装置接続履歴記憶処理部２０８と、登録記録装置記憶処理部２０９と、を含んで構成されている。
【００１９】
コンテンツ情報保持部２０１は、ＲＡＭ１０４又は記憶装置１０５に記憶されているコンテンツ情報の取得や削除を行う。評価値算出部２０２は、コンテンツの評価を行い、評価値を算出する。接続検知部２０３は、通信インタフェース１０８を通じて記録装置１１１の接続と接続解除とを検知する。コンテンツ情報削除部２０４は、評価値算出部２０２が算出した評価値に基づいて、コンテンツ情報を削除するか否かを判定する。そして、コンテンツ情報削除部２０４は、この判定結果に応じて、例えばコンテンツ情報の削除をコンテンツ情報保持部２０１に指示する。表示制御部２０５は、コンテンツ情報削除部２０４からの命令に従って、例えば、コンテンツ情報の表示を削除する等して、表示装置１０７に表示されているコンテンツ情報の一覧の更新を行う。
【００２０】
計時制御部２０６は、計時装置１０９を介して、一定時間経過後の通知を行ったり、現在時刻を取得したりする。コンテンツ表示履歴記憶処理部２０７は、コンテンツの表示履歴情報をＲＡＭ１０４又は記憶装置１０５に記憶したり、記憶されている表示履歴情報を更新したりする。また、コンテンツ表示履歴記憶処理部２０７は、ＲＡＭ１０４又は記憶装置１０５に記憶されている表示履歴情報を取得する。記録装置接続履歴記憶処理部２０８は、記録装置の接続履歴情報を、ＲＡＭ１０４又は記憶装置１０５に記憶したり、記憶されている接続履歴情報を更新したりする。また、記録装置接続履歴記憶処理部２０８は、ＲＡＭ１０４又は記憶装置１０５に記憶されている接続履歴情報を取得する。登録記録装置記憶処理部２０９は、登録されている登録記録装置情報をＲＡＭ１０４又は記憶装置１０５に記憶したり、記憶されている登録記録装置情報を更新したりする。また、登録記録装置記憶処理部２０９は、ＲＡＭ１０４又は記憶装置１０５に記憶されている登録記録装置情報を取得する。
【００２１】
図３は、記録装置の接続解除時の処理の一例を示すフローチャートである。図３のフローチャートは、表示処理装置１に対して記録装置１１１の接続が解除されたときに開始される。
まず、ステップＳ３０１において、コンテンツ情報削除部２０４は、コンテンツ情報保持部２０１に問い合わせ、その問い合わせ結果に基づいて、評価の対象とするコンテンツが１つ以上存在するか否かを判定する。評価の対象とするコンテンツがある場合には、コンテンツ情報削除部２０４は、ステップＳ３０２に処理を進める。評価の対象とするコンテンツがない場合には、コンテンツ情報削除部２０４は、ステップＳ３０６に処理を進める。
【００２２】
次に、ステップＳ３０２において、コンテンツ情報保持部２０１は、前回取得したコンテンツ情報の次のコンテンツ情報を取得する（コンテンツ情報取得）。
次に、ステップＳ３０３において、コンテンツ情報削除部２０４は、取得したコンテンツ情報に含まれる、コンテンツが記憶された記録装置の装置情報を取得する（装置情報取得）。さらに、コンテンツ情報削除部２０４は、接続解除されたのは取得したコンテンツ情報が指すコンテンツを記憶している記録装置であるか否かを判定する。接続解除された機器は、接続検知部２０３からの機器の接続解除通知により本処理が実行される際に通知されているものとする。接続解除されたのが、コンテンツを記憶する記録装置でない場合は、コンテンツ情報削除部２０４は、ステップＳ３０１に処理を戻す。接続解除されたのがコンテンツを記憶している記録装置である場合は、コンテンツ情報削除部２０４は、ステップＳ３０４に処理を進める。
【００２３】
ステップＳ３０４において、コンテンツ情報削除部２０４は、評価値算出部２０２に問い合わせを行うことにより、該コンテンツの評価値を得る。評価値算出部２０２は、コンテンツの評価値を算出する処理を行う（評価値算出）。このステップの詳細は、図４のフローチャートで後述する。次に、コンテンツ情報削除部２０４は、ステップＳ３０５に処理を進める。ステップＳ３０５において、コンテンツ情報削除部２０４は、評価値に基づき、例えば、コンテンツ情報の削除を指示する等のコンテンツ情報の処理を行う。このステップの詳細は、図５のフローチャートで後述する。次に、コンテンツ情報削除部２０４は、ステップＳ３０１に処理を戻す。
【００２４】
一方、ステップＳ３０６において、コンテンツ情報削除部２０４は、評価値に基づいたコンテンツ情報の表示を表示制御部２０５に対して指示し（表示制御）、コンテンツ情報の一覧の表示の更新を行う。例えば、ステップＳ３０５において、コンテンツ情報削除部２０４が、特定のコンテンツ情報の削除を指示している場合、表示制御部２０５は、コンテンツ情報削除部２０４からの指示に基づいて特定のコンテンツ情報を削除してコンテンツ情報の一覧を表示する。又は、表示制御部２０５は、特定のコンテンツ情報をコンテンツにアクセスすることができないことを示すグレイアウトにしてコンテンツ情報の一覧を表示する。
【００２５】
図４は、第１の実施形態に係るコンテンツの評価値算出処理の一例を示すフローチャートである。
ステップＳ４０１において、評価値算出部２０２は、コンテンツ情報保持部２０１に問い合わせ、その問い合わせ結果に基づいて、評価の対象のコンテンツと同一のコンテンツが、接続解除された記録装置と異なる記録装置に記憶されているか否かを判定する。コンテンツ情報保持部２０１は、タイトル、オリジナルの作成日時及びサイズ等、コンテンツ情報に含まれる属性情報が同一であるか否かを基に、評価の対象のコンテンツと同一のコンテンツであるか否かを判定する。タイトル、オリジナルの作成日時及びサイズ等が同一である場合、コンテンツ情報保持部２０１は、コンテンツの識別子等が異なっていたとしても、同一であると判定する。コンテンツ情報保持部２０１は、判定結果を評価値算出部２０２に返す。
同一のコンテンツが存在する場合、評価値算出部２０２は、ステップＳ４０２に処理を進める。同一のコンテンツが他に存在しない場合、ステップＳ４０３に処理を進める。
【００２６】
次に、ステップＳ４０２において、評価値算出部２０２は、評価値を予め決められた基準値以下に設定して、処理を終了する。また、ステップＳ４０３において、評価値算出部２０２は、評価値を予め決められた基準値より上に設定して、処理を終了する。
【００２７】
図５は、第１の実施形態に係るコンテンツの評価値に基づいたコンテンツ情報の処理の一例を示すフローチャートである。
ステップＳ５０１において、コンテンツ情報削除部２０４は、評価値が予め決められた基準値以下であるか否かを判定する。評価値が基準値以下である場合、コンテンツ情報削除部２０４は、ステップＳ５０２に処理を進める。評価値が基準値を上回った場合、コンテンツ情報削除部２０４は、図５に示す処理を終了する。ステップＳ５０２において、コンテンツ情報削除部２０４は、コンテンツ情報保持部２０１にコンテンツ情報を削除するように指示する。コンテンツ情報保持部２０１は、削除を指示されたコンテンツ情報を削除する。
【００２８】
図６は、第１の実施形態に係る、記録装置が接続解除される前のコンテンツ情報の一覧を表示した一例を示す図である。図６において、６００は、表示装置１０７にコンテンツ情報の一覧を表示する表示画面である。６０１〜６０５及び６１１〜６１５は、各コンテンツのコンテンツ情報に含まれる代表画像である（ここでは、コンテンツ情報という）。コンテンツ情報６１１〜６１５が指すコンテンツは、例えば、同一の記録装置Ａに記憶されているものとする。６１０の範囲は、コンテンツ情報６１１〜６１５が指すコンテンツが、同一の記録装置Ａに記憶されていることを理解できるように図示したものであり、実際の表示装置１０７には、表示されない。
【００２９】
図７は、図６のコンテンツ情報の一覧を表示した状態から記録装置Ａの接続が解除された後のコンテンツ情報の一覧を表示した一例を示す図である。図７は、コンテンツ情報６１１〜６１５のコンテンツを記憶している記録装置Ａの接続が解除され、図３のフローチャートの接続解除処理が行われた後の表示画面の一例を示している。図７において、コンテンツ情報７０１〜７０３のコンテンツは、評価値を算出する処理において評価値が基準値を上回っていた。従って、コンテンツ情報削除部２０４は、コンテンツ情報を削除するように指示していない。従って、表示制御部２０５は、コンテンツ情報７０１〜７０３を削除しないで表示している。但し、コンテンツ情報７０１〜７０３のコンテンツを記憶している記録装置Ａの接続が解除されているため、コンテンツの実体にアクセスすることができない。従って、表示制御部２０５は、コンテンツ情報７０１〜７０３をグレイアウトで表示している。また、７１１及び７１２は、評価値を算出する処理において評価値が基準値以下であったため、コンテンツ情報削除部２０４は、コンテンツ情報を削除するようにコンテンツ情報保持部２０１と表示制御部２０５とに指示する。従って、表示制御部２０５は、コンテンツ情報を削除して表示している。
【００３０】
なお、本実施形態では、評価の対象のコンテンツと同一のコンテンツが他に記憶されているか否かを基に評価値を算出する場合について説明した。しかし、この場合に限られず、評価の対象のコンテンツが他のコンテンツの関連コンテンツであるか否かを基に評価値を算出するようにしてもよい。例えば、評価の対象のコンテンツがプレイリストの一部である等のように、他のコンテンツの一部を構成しているような場合には、コンテンツ情報削除部２０４は、評価の対象のコンテンツ情報を削除しないようにする。
【００３１】
このように、第１の実施形態によれば、コンテンツが記憶された記録装置の接続が解除されたときに、コンテンツを評価し、そのコンテンツのコンテンツ情報のうち不要なものを自動的に削除する。従って、ユーザは、コンテンツ情報からコンテンツを選択する操作の効率を向上させることができる。
【００３２】
（第２の実施形態）
第２の実施形態では、コンテンツの表示履歴情報に応じて、所定期間を経過した後にコンテンツ情報を削除する処理について説明する。
図８は、コンテンツの表示履歴情報のデータ構造の一例を示す図である。図８において、８００は、全コンテンツの表示履歴情報のデータ全体である。このデータは、ＲＡＭ１０４又は記憶装置１０５に記憶されている。コンテンツ表示履歴記憶処理部２０７は、表示履歴情報をＲＡＭ１０４又は記憶装置１０５に記憶したり、記憶されている表示履歴情報を更新したりする。また、コンテンツ表示履歴記憶処理部２０７は、ＲＡＭ１０４又は記憶装置１０５に記憶されている表示履歴情報を取得する。
【００３３】
図８に示すように、各コンテンツの表示履歴情報は、コンテンツの識別子８０４と、コンテンツの表示履歴８０５とから構成されている。８０１〜８０３は、それぞれ１つのコンテンツに対する表示履歴である。コンテンツの表示履歴には「未表示」、「一覧表示済」、「再生済み」の３種類の状態が存在する。
【００３４】
まず、コンテンツは、初期状態では、「未表示」状態である。次に、コンテンツのコンテンツ情報が表示装置１０７の表示画面上に表示された場合、そのコンテンツは、「一覧表示済」状態となる。さらに、コンテンツの再生が行われた場合、そのコンテンツは、「再生済み」状態となる。本実施形態では、図３のフローチャートのステップＳ３０４のコンテンツ評価処理に表示履歴情報を利用する。
【００３５】
図９は、第２の実施形態に係るコンテンツの評価値算出処理の一例を示すフローチャートである。
ステップＳ９０１において、評価値算出部２０２は、評価の対象のコンテンツの表示履歴情報を取得するようにコンテンツ表示履歴記憶処理部２０７に指示する。評価値算出部２０２は、取得した表示履歴情報から、評価の対象のコンテンツが再生済みであるか否かを判定する。再生済みである場合、評価値算出部２０２は、ステップＳ９０４に処理を進める。再生済みでない場合、評価値算出部２０２は、ステップＳ９０２に処理を進める。ステップＳ９０４において、評価値算出部２０２は、評価値を予め決められた最上位の値に設定し、図９に示す処理を終了する。
【００３６】
ステップＳ９０２において、評価値算出部２０２は、取得した表示履歴情報から、評価の対象のコンテンツが一覧表示済みであるか否かを判定する。一覧表示済みであれば評価値算出部２０２は、ステップＳ９０５に処理を進める。一覧表示済みでなければ評価値算出部２０２は、ステップＳ９０３に処理を進める。ステップＳ９０５において、評価値算出部２０２は、評価値を予め決められた中位の値に設定し、図９に示す処理を終了する。次に、ステップ９０３において、評価値算出部２０２は、評価値を予め決められた最下位の値に設定し、図９に示す処理を終了する。
【００３７】
図１０は、第２の実施形態に係るコンテンツの評価値に基づいたコンテンツ情報の処理の一例を示すフローチャートである。
まず、ステップＳ１００１において、コンテンツ情報削除部２０４は、評価の対象のコンテンツの評価値が予め決められた最下位の値であるか否かを判定する。評価値が最下位の値である場合、コンテンツ情報削除部２０４は、ステップＳ１００４に処理を進める。評価値が最下位の値でない場合、コンテンツ情報削除部２０４は、ステップＳ１００２に処理を進める。
【００３８】
ステップＳ１００４において、コンテンツ情報削除部２０４は、コンテンツ情報保持部２０１にコンテンツ情報を削除するように指示する。コンテンツ情報保持部２０１は、指示されたコンテンツ情報を削除する。その後、コンテンツ情報削除部２０４は、図１０に示す処理を終了する。
一方、ステップＳ１００２において、コンテンツ情報削除部２０４は、評価値が予め決められた最上位の値であるか否かを判定する。評価値が最上位の値である場合、コンテンツ情報削除部２０４は、ステップＳ１００５に処理を進める。評価値が最上位の値でない場合、コンテンツ情報削除部２０４は、ステップＳ１００３に処理を進める。
【００３９】
ステップＳ１００５において、コンテンツ情報削除部２０４は、計時制御部２０６に計時装置１０９を長期（例えば、３ヶ月）で起動（タイマ）するように指示し、処理を終了する。
ステップＳ１００３において、コンテンツ情報削除部２０４は、計時制御部２０６に計時装置１０９を短期（例えば、１週間）で起動（タイマ）するように指示し、処理を終了する。その後、指定時間の経過が計時制御部２０６から通知されると、コンテンツ情報削除部２０４は、コンテンツ情報保持部２０１にコンテンツ情報を削除するように指示する。また、コンテンツ情報削除部２０４は、表示制御部２０５に表示の更新を指示する。表示制御部２０５は、コンテンツ情報を削除して表示を更新する。
【００４０】
図１１は、第２の実施形態に係る記録装置が接続解除される前のコンテンツ情報の一覧を表示した一例を示す図である。図１１では、表示制御部２０５は、コンテンツ情報の一覧を、画面上に一覧表示可能な数のコンテンツ情報毎にページを区切って表示している。図１１において、１２００は、コンテンツ情報の一覧を表示した現在の表示中のページを示している。また、１１１０は、コンテンツ情報の一覧の未表示のページを示している。１１００〜１１０６、１１１１〜１１１８及び１１２１〜１１２５は、各コンテンツのコンテンツ情報に含まれる代表画像である（ここでは、コンテンツ情報という）。このうち、コンテンツ情報１１００〜１１０６及び１１２１〜１１２３は、現在表示中のページに含まれるコンテンツ情報である。また、コンテンツ情報１１１１〜１１１８及び１１２４〜１１２５は、未表示のページに含まれるコンテンツ情報である。ここで、コンテンツ情報１１２１〜１１２５は、例えば、同一の記録装置Ｂに記憶されているものとする。１１２０の範囲は、コンテンツ情報１１２１〜１１２５が指すコンテンツが、同一の記録装置Ｂに記憶されていることを理解できるように図示したものであり、実際の表示装置１０７には、表示されない。
【００４１】
図１２は、図１１のコンテンツ情報の一覧を表示した状態から記録装置Ｂの接続が解除された後のコンテンツ情報の一覧を表示した一例を示す図である。図１２は、図１１のコンテンツ情報１１２１〜１１２５のコンテンツを記憶している記録装置Ｂの接続が解除されたため、図３のフローチャートにおいてステップＳ３０３の接続解除処理が行われた後の表示を示している。図１２において、コンテンツ情報１２０１〜１２０３は、評価値を算出する処理において評価値が中位以上であるため、コンテンツ情報削除部２０４は、コンテンツ情報を削除する指示をしていない。従って、表示制御部２０５は、コンテンツ情報１２０１〜１２０３を削除しないで表示している。但し、コンテンツ情報１２０１〜１２０３のコンテンツを記憶している記録装置Ｂの接続が解除されているため、コンテンツの実体にアクセスすることができない。従って、表示制御部２０５は、コンテンツ情報１２０１〜１２０３をグレイアウトで表示している。また、１２１１及び１２１２は、評価値を算出する処理において評価値が最下位であったため、コンテンツ情報削除部２０４は、コンテンツ情報を削除するようにコンテンツ情報保持部２０１と表示制御部２０５とに指示したものである。
【００４２】
図１３は、図１１のコンテンツ情報の一覧を表示した状態から記録装置Ｂの接続が解除されてから、１週間経過後のコンテンツ情報の一覧を表示した一例を示す図である。図１３は、図１１のコンテンツ情報１１２１〜１１２５のコンテンツを記憶している記録装置Ｂの接続が解除され、図３のフローチャートの接続解除処理が行われてから１週間経過後の表示画面の一例を示している。図１０のステップＳ１００３で起動した計時制御部２０６からの指定時間が経過した通知により、コンテンツ情報削除部２０４は、評価値が中位のコンテンツ情報を削除するようにコンテンツ情報保持部２０１と表示制御部２０５とに指示する。表示制御部２０５は、評価値が中位のコンテンツのコンテンツ情報１３０１を削除してコンテンツ情報の一覧の表示を更新する。
【００４３】
図１４は、図１１のコンテンツ情報の一覧を表示した状態から記録装置Ｂの接続が解除されてから、３ヶ月経過後のコンテンツ情報の一覧を表示した一例を示す図である。図１４は、図１１のコンテンツ情報１１２１〜１１２５のコンテンツを記憶している記録装置Ｂの接続が解除され、図３のフローチャートの接続解除処理が行われてから３ヶ月経過後の表示画面の一例を示している。図１０のステップＳ１００５で起動した計時制御部２０６からの指定時間が経過した通知により、コンテンツ情報削除部２０４は、評価値が最上位のコンテンツ情報を削除するようにコンテンツ情報保持部２０１と表示制御部２０５とに指示する。表示制御部２０５は、評価値が最上位であったコンテンツのコンテンツ情報１４０１及び１４０２を削除してコンテンツ情報の一覧の表示を更新する。
【００４４】
なお、本実施形態では、評価値算出部２０２が算出した評価値に基づいて、コンテンツ情報削除部２０４がコンテンツ情報を削除するまでの期間（時間）を決定する処理について説明した。しかし、この処理に限られず、評価値算出部２０２が、評価値として削除するまでの期間（時間）を算出し、コンテンツ情報削除部２０４に通知するようにしてもよい。
【００４５】
また、本実施形態では、コンテンツ情報が削除された場合、削除されたコンテンツ情報の代表画像が表示されていた表示領域は空白として説明を行った。しかしながら、表示制御部２０５は、空白となった部分を、削除されていない次のコンテンツ情報の代表画像で埋めるようにしてもよい。
【００４６】
このように、第２の実施形態によれば、コンテンツの表示履歴情報に基づく評価値に基づいて、記録装置に記憶されたコンテンツのうち、あまり利用されていないコンテンツ情報を所定時間経過後に自動的に削除することができる。従って、ユーザは、コンテンツ情報からコンテンツを選択する操作の効率を向上させることができる。
また、第２の実施形態によれば、コンテンツ情報の削除を評価値に応じた所定時間経過後に実行することができる。
【００４７】
（第３の実施形態）
第３の実施形態では、記録装置の接続履歴情報に応じて、コンテンツ情報の評価値を算出する処理について説明する。
図１５は、記録装置１１１の接続履歴情報のデータ構造の一例を示す図である。図１５において、１５００は、表示処理装置１に接続される記録装置１１１等の接続履歴情報のデータ全体である。このデータは、ＲＡＭ１０４又は記憶装置１０５に記憶されている。記録装置接続履歴記憶処理部２０８は、接続履歴情報をＲＡＭ１０４又は記憶装置１０５に記憶したり、記憶されている接続履歴情報を更新したりする。また、記録装置接続履歴記憶処理部２０８は、ＲＡＭ１０４又は記憶装置１０５に記憶されている接続履歴情報を取得する。
【００４８】
図１５に示すように、各記録装置の接続履歴情報は、記録装置１１１の識別子１５０４と、接続開始日時１５０５と、接続終了日時１５０６と、から構成されている。１５０１〜１５０３は、それぞれ１つの記録装置１１１における１回の接続に対する接続履歴である。従って、接続履歴情報には、同一の記録装置１１１の接続履歴が何度でも記録される。接続履歴１５０２及び１５０３の接続終了日時の欄が空白になっているのは、接続が開始されたが、まだ接続が終了していない、即ち現在接続中であることを示している。なお、一定期間を経過した接続履歴情報は、記録装置接続履歴記憶処理部２０８が、削除する。
【００４９】
図１６は、第３の実施形態に係るコンテンツの評価値算出処理の一例を示すフローチャートである。
ステップＳ１６０１において、評価値算出部２０２は、記録装置１１１の接続履歴情報を取得するように記録装置接続履歴記憶処理部２０８に指示する。評価値算出部２０２は、取得した接続履歴情報から、評価の対象のコンテンツを記憶する記録装置１１１が予め決められた一定以上の頻度で接続されているか否かを判定する。予め決められた一定以上の頻度で接続されている場合、評価値算出部２０２は、ステップＳ１６０２に処理を進める。予め決められた一定以上の頻度で接続されていない場合、評価値算出部２０２は、ステップＳ１６０３に処理を進める。
【００５０】
ステップＳ１６０２において、評価値算出部２０２は、評価の対象のコンテンツの評価値を予め決められた基準値より上に設定し、処理を終了する。一方、ステップＳ１６０３において、評価値算出部２０２は、評価値を予め決められた基準値以下に設定し、処理を終了する。
【００５１】
次に、図３のステップＳ３０５の評価値に応じたコンテンツ情報の処理を経た後、表示制御部２０５は、コンテンツ情報を更新して表示する。
【００５２】
このように、第３の実施形態によれば、コンテンツを記録する記録装置の接続履歴情報に基づいて、接続頻度の低い記録装置に記録されているコンテンツのコンテンツ情報を自動的に削除することができる。従って、ユーザは、コンテンツ情報からコンテンツを選択する操作の効率を向上させることができる。
【００５３】
（第４の実施形態）
第４の実施形態では、記録装置１１１の登録状態に応じて、コンテンツ情報の評価値を算出する処理について説明する。
図１７は、記録装置の登録及び登録解除を行うための表示の一例を示す図である。図１７において、１７００は、ユーザによってコンテンツが記録された記録装置１１１の登録及び登録解除の設定を行うための設定画面である。１７０１は、表示処理装置１に接続される全て記録装置１１１の中から登録状態を設定する記録装置１１１を選択するためのコンボボックスである。
【００５４】
１７０２は、コンボボックス１７０１で選択した記録装置を登録するか否かを設定するチェックボタンである。１７０３は、選択した記録装置を登録するか否かの設定を有効とするための「ＯＫ」ボタンである。また、１７０４は、選択した記録装置を登録するか否かの設定を無効とするための「キャンセル」ボタンである。１７０５は、記録装置の登録及び登録解除の設定を行うための設定画面を閉じるためのクローズボタンである。
【００５５】
図１８は、登録された記録装置の情報を示す登録記録装置情報のデータ構造の一例を示す図である。図１８において、１８００は、登録記録装置情報のデータ全体である。このデータは、ＲＡＭ１０４又は記憶装置１０５に記憶されている。登録記録装置記憶処理部２０９は、登録記録装置情報をＲＡＭ１０４又は記憶装置１０５に記憶したり、記憶されている登録記録装置情報を更新したりする。また、登録記録装置記憶処理部２０９は、ＲＡＭ１０４又は記憶装置１０５に記憶されている登録記録装置情報を取得する。
【００５６】
図１８に示すように、登録記録装置情報は、記録装置の識別子１８０３から構成されている。１８０１及び１８０２は、それぞれ登録された記録装置の識別子である。ユーザが、記録装置の登録を行うための設定画面１７００において、記録装置を登録する設定を行う。すると、登録記録装置記憶処理部２０９が、登録設定した記録装置の識別子を登録記録装置情報に追加する（登録手段）。ユーザが、記録装置の登録を行うための設定画面１７００において、記録装置の登録を解除する設定を行う。すると、登録記録装置記憶処理部２０９が、登録設定した記録装置の識別子を登録記録装置情報から削除する。
【００５７】
図１９は、第４の実施形態に係るコンテンツの評価値算出処理の一例を示すフローチャートである。
ステップＳ１９０１において、評価値算出部２０２は、記録装置の登録記録装置情報を取得するよう登録記録装置記憶処理部２０９に指示する。評価値算出部２０２は、取得した登録記録装置情報から、評価の対象のコンテンツを記憶する記録装置１１１が登録されているか否かを判定する。登録されている場合、評価値算出部２０２は、ステップＳ１９０２に処理を進める。登録されていない場合、評価値算出部２０２は、ステップＳ１９０３に処理を進める。
【００５８】
ステップＳ１９０２において、評価値算出部２０２は、評価の対象のコンテンツの評価値を予め決められた基準値より上に設定し、処理を終了する。一方、ステップＳ１９０３において、評価値算出部２０２は、評価値を予め決められた基準値以下に設定し、処理を終了する。
【００５９】
次に、図３のステップＳ３０５の評価値に応じたコンテンツ情報の処理を経た後、表示制御部２０５は、コンテンツ情報を更新して表示する。
【００６０】
このように、第４の実施形態によれば、コンテンツを記憶する記録装置が登録されているか否かに基づいて、登録されていない記録装置に記憶されているコンテンツのコンテンツ情報を自動的に削除することができる。従って、ユーザは、コンテンツ情報からコンテンツを選択する操作の効率を向上させることができる。
【００６１】
なお、評価値算出部２０２は、第１の実施形態から第４の実施形態で説明した評価値を算出する方法を組み合わせて評価値を算出するようにしてもよい。これにより、総合的に検討してコンテンツの削除を行うか否か、また、いつ削除を実行するかを決定することができる。
【００６２】
（第５の実施形態）
図２０は、第５の実施形態に係る表示処理装置の機能構成の一例を示す図である。図２０に示される機能構成は、ＣＰＵ１０２が記憶装置１０５に記録されたプログラムを実行することにより実現される。
図２０において、表示処理装置２は、記録装置状態問合せ部２００１と、記録装置一覧記憶処理部２００２と、コンテンツ情報記憶処理部２００３と、表示制御部２００４と、アニメーション制御部２００５と、を含んで構成されている。また、表示処理装置２は、更に、通信制御部２００６と、選択検出部２００７と、選択変更検出部２００８と、を含んで構成されている。
【００６３】
記録装置状態問合せ部２００１は、通信インタフェース１０８を通じて記録装置１１１が記憶するコンテンツを取得できるか否かを問い合わせる。記録装置一覧記憶処理部２００２は、記録装置１１１の一覧及び記録装置状態問合せ部２００１による問い合わせた結果をＲＡＭ１０４又は記憶装置１０５に記憶したり、記憶されている記録装置一覧及び問い合わせ結果を更新したりする。また、記録装置一覧記憶処理部２００２は、ＲＡＭ１０４又は記憶装置１０５に記憶されている記録装置一覧及び問い合わせ結果を取得する。コンテンツ情報記憶処理部２００３は、記録装置１１１が記憶するコンテンツに関するコンテンツ情報と、選択（着目）されているコンテンツ情報とをＲＡＭ１０４又は記憶装置１０５に記憶する。また、コンテンツ情報記憶処理部２００３は、記録装置１１１が記憶するコンテンツに関するコンテンツ情報と、選択（着目）されているコンテンツ情報とを更新する。更に、コンテンツ情報記憶処理部２００３は、記録装置１１１が記憶するコンテンツに関するコンテンツ情報と、選択（着目）されているコンテンツ情報とを取得する。
【００６４】
表示制御部２００４は、表示装置１０７にコンテンツ情報の一覧の表示を行う。また、表示制御部２００４は、コンテンツの取得ができるか否かの判定によりコンテンツ情報の一覧の表示を変更する。また、表示制御部２００４は、コンテンツ情報の一覧の表示において、着目するコンテンツ情報に、着目（フォーカス）していることがわかるように、マークを表示する。
【００６５】
アニメーション制御部２００５は、着目しているコンテンツ情報から後述する候補の着目コンテンツであるコンテンツ情報へと、マークが移動する様子をアニメーションで表示する。また、アニメーション制御部２００５は、表示画面のページをアニメーションで移動させる。ここで、アニメーションとは、一定時間ごとに画像に描かれた図形を少しずつ移動させて表示することによって、図形がまるで動いているかのように見せる表示制御のことをいう。
【００６６】
通信制御部２００６は、通信インタフェース１０８を介して、コンテンツが記憶された記録装置１１１よりコンテンツ等の取得を行う。選択検出部２００７は、選択されたコンテンツ情報、即ち、着目コンテンツを検出する。選択変更検出部２００８は、ユーザによって選択が変更されたコンテンツ情報、即ち、ユーザによる変更操作された着目コンテンツを検出する。
【００６７】
図２１は、第５の実施形態に係るコンテンツ情報の一覧を表示した一例を示す図である。図２１において、２１００は、表示装置１０７にコンテンツ情報の一覧を表示する表示画面である。２１０１〜２１１５は、各コンテンツのコンテンツ情報に含まれる代表画像である（ここでは、コンテンツ情報という）。この表示画面２１００には、表示処理装置２に接続された記録装置１１１に記憶されているコンテンツのコンテンツ情報が表示される。また、表示制御部２００４は、ユーザにより入力装置１０６を用いてコンテンツ情報２１０８の選択（着目）したことがわかるように、コンテンツ情報を太枠で囲むようなマークを表示している。ここで、選択されたコンテンツ情報を着目コンテンツという。なお、本実施形態では、コンテンツ情報である代表画面を太枠で囲むようなマークを表示しているが、選択されていることがユーザに理解できれば、別の表示方法であってもよい。
【００６８】
コンテンツ情報が指すコンテンツを取得できない場合、表示制御部２００４は、コンテンツ情報を、図２１のコンテンツ情報２１０９、２１１２、２１１４及び２１１５で示すように、グレイアウトで表示する。なお、コンテンツを取得できないことを表示する場合、表示制御部２００４は、例えば、コンテンツを取得できない理由、又は取得できないコンテンツの属性情報を表示するようにしてもよい。
【００６９】
図２２は、表示処理装置の処理の一例を示すフローチャートである。図２２に示すフローチャートは、例えば、表示処理装置２に対するユーザによるコンテンツ情報の表示指示により開始される。
ステップＳ２２０１において、表示制御部２００４は、コンテンツ情報の一覧を表示装置１０７に表示する（一覧表示処理）。なお、一覧表示処理の詳細は、後述する図２３に示す。次に、ステップＳ２２０２において、表示制御部２００４は、記録装置１１１からコンテンツを取得ができるか否かでコンテンツ情報の表示を変更する（表示変更処理）。なお、表示変更処理の詳細は、後述する図２４に示す。次に、ステップＳ２２０３において、選択変更検出部２００８は、ユーザからの入力装置１０６を介したコンテンツ情報の選択の変更を検出する。続いて、表示制御部２００４は、選択（着目）されているコンテンツ情報を変更する（着目コンテンツ情報変更処理１）。なお、着目コンテンツ情報変更処理１の詳細は、後述する図２５に示す。次に、ステップＳ２２０４において、選択変更検出部２００８は、同様にユーザからの入力装置１０６を介したコンテンツ情報の選択の変更を検出する。表示制御部２００４は、選択（着目）されているコンテンツ情報を変更する（着目コンテンツ情報変更処理２）。なお、着目コンテンツ情報変更処理２の詳細は、後述する図２９、図３１に示す。なお、図２２のフローチャートでは、一覧表示処理、表示変更処理、着目コンテンツ変更処理１及び着目コンテンツ変更処理２を一つのフローチャートとして説明したが、複数のフローチャート中で並列に実行されていてもよい。
【００７０】
図２３は、図２２のステップＳ２２０１における一覧表示処理の一例を示すフローチャートである。
ステップＳ２３０１において、表示制御部２００４は、ＲＡＭ１０４又は記憶装置１０５に予め設定されている、表示装置１０７の表示画面に表示するコンテンツ情報の表示個数を取得する。なお、表示個数が設定されていなければ、表示制御部２００４は、デフォルトの表示個数を取得する。また、表示個数の設定は、ユーザによる入力装置１０６を介した指示により変更することができる。なお、表示制御部２００４は、表示個数の設定が変更されたときに表示個数を取得してもよい。
【００７１】
次に、ステップＳ２３０２において、表示制御部２００４は、ＲＡＭ１０４又は記憶装置１０５に予め記録されている、表示装置１０７の表示画面に表示するコンテンツ情報を表示する順序を取得する。なお、優先順序が設定されている場合、表示制御部２００４は、優先順序の値を取得する。表示する順序が設定されていなければ、表示制御部２００４は、デフォルトの値を取得する。
【００７２】
次に、ステップＳ２３０３において、表示制御部２００４は、コンテンツ情報記憶処理部２００３に、設定された表示個数のコンテンツ情報を設定された順序で取得するように指示する。
次に、ステップＳ２３０４において、表示制御部２００４は、取得したコンテンツ情報を予め設定された表示形式で表示装置１０７に表示する。例えば、表示制御部２００４は、図２１に示すように、コンテンツ情報に含まれる代表画像を一覧で表示する。なお、コンテンツ情報に代表画像等が含まれていない場合、通信制御部２００６が、通信インタフェース１０８を介して、コンテンツが記憶された記録装置１１１から代表画像や属性情報を取得してもよい。また、表示制御部２００４は、例えば、コンテンツ情報に含まれる属性情報等を表示してもよい。
【００７３】
ステップＳ２３０５において、表示制御部２００４は、設定された表示個数のコンテンツ情報を取得したか否かを判定する。取得した場合、表示制御部２００４は、ステップＳ２３０６に処理を進める。取得していない場合、表示制御部２００４は、ステップＳ２３０３に処理を戻す。
【００７４】
ステップＳ２３０６において、表示制御部２００４は、表示順序の中で予め設定された場所のコンテンツ情報を着目コンテンツとして、選択検出部２００７に検出させる。表示制御部２００４は、検出した着目コンテンツをコンテンツ情報記憶処理部２００３に記憶させる。また、表示制御部２００４は、着目コンテンツに対し、着目していることがわかるように着目コンテンツのコンテンツ情報を太枠で囲むようなマークを表示する。
【００７５】
ここで、図２１に示す表示画面２１００では、表示制御部２００４が、表示画面２１００の中心に表示されたコンテンツ情報２１０８を着目コンテンツとして、太枠で囲むようなマーク２１１６を表示している。なお、着目コンテンツの場所は、表示画面２１００に表示されているコンテンツ情報のうち、どれに設定されていてもよい。
【００７６】
図２４は、図２２のステップＳ２２０２における表示変更処理の一例を示すフローチャートである。
ステップＳ２４０１において、表示制御部２００４は、予め指定された時間が経過したか否かを判定する。経過した場合は、表示制御部２００４は、ステップＳ２４０２に処理を進める。経過していない場合は、表示制御部２００４は、処理を終了する。なお、予め時間が指定されていなければ、表示制御部２００４は、デフォルトの時間を用いて判定する。また、時間は、ユーザによる入力装置１０６を介した指示により変更することができる。さらに、ユーザによる入力装置１０６からの操作を受け付けるときや、コンテンツを記憶する記録装置１１１が接続又は接続解除の情報を受け取ったときに、表示制御部２００４は、本フローチャートの処理を開始してもよい。
【００７７】
次に、ステップＳ２４０２において、記録装置状態問合わせ部２００１は、記録装置一覧記憶処理部２００２に表示処理装置２に接続される記録装置１１１の一覧の情報である記録装置一覧情報及び記録装置の装置情報を取得するように指示する。記録装置一覧記憶処理部２００２は、ＲＡＭ１０４又は記憶装置１０５に記憶された記録装置一覧情報と、装置情報とを取得する。なお、装置情報の取得は、表示処理装置２の初期化時に取得して記憶してもよいし、記録装置一覧情報を取得するときに初めて取得してもよいし、以前に使用した記録装置一覧情報を記録装置一覧記憶処理部２００２が、復帰させてから取得してもよい。
【００７８】
また、ユーザによる特定の記録装置１１１に対する除外指定の指示により、記録装置状態問合わせ部２００１は、記録装置一覧情報から常に、特定の記録装置１１１を除外するように設定できるようにしてもよい。逆に、ユーザによる特定の記録装置１１１を記録装置一覧情報に残す指示により、記録装置状態問合わせ部２００１は、記録装置一覧情報に常に特定の記録装置１１１が残るように設定してもよい。さらに、記録装置状態問合わせ部２００１は、一定期間接続されない記録装置１１１は、記録装置一覧情報から除外するように設定してもよい。
【００７９】
次に、ステップＳ２４０３において、記録装置状態問合わせ部２００１は、記録装置１１１に対して、記録装置１１１が記憶するコンテンツにアクセスできるかを否かの問合せを行う。より具体的に説明すると、記録装置状態問合わせ部２００１は、通信インタフェース１０８を介して装置情報を基に記録装置１１１にアクセスし、コンテンツの実体が取得できるか否かを確かめる。
【００８０】
次に、ステップＳ２４０４において、記録装置状態問合わせ部２００１は、問合せた結果から、その記録装置１１１がコンテンツの実体を取得できるか否かを示す記録装置状態情報として、記録装置一覧記憶処理部２００２に記憶させるように指示する。なお、本実施形態では記録装置状態情報をＲＡＭ１０４又は記憶装置１０５に記憶するが、異なる記憶装置に記憶してもよい。また、記録装置状態問合わせ部２００１は、接続可能又は接続不可能な記録装置のみからなる一覧データを記憶させてもよい。即ち、記録装置状態問合わせ部２００１は、表示処理装置２に接続されている記録装置と、接続されていない記録装置とが識別できるようなデータを記憶させるようにすればよい。
【００８１】
次に、ステップＳ２４０５において、記録装置状態問合わせ部２００１は、記録装置一覧情報に記憶された全ての記録装置１１１に対して処理が終了したか否かを判定する。終了した場合は、記録装置状態問合わせ部２００１は、ステップＳ２４０６に処理を進める。また、終了していない場合には、記録装置状態問合わせ部２００１は、ステップＳ２４０２に処理を戻す。
【００８２】
次に、ステップＳ２４０６において、表示制御部２００４は、表示装置１０７に表示されているコンテンツ情報をコンテンツ情報記憶処理部２００３に順次、取得させる（コンテンツ情報取得）。
次に、ステップＳ２４０７において、表示制御部２００４は、取得したコンテンツ情報からコンテンツの実体が取得可能かどうかを判定する。より具体的に説明すると、コンテンツ情報にはコンテンツの実体が記憶されている記憶装置の装置情報が含まれている。従って、表示制御部２００４は、装置情報と、ステップＳ２４０４において記憶した記録装置状態情報と、に基づいてコンテンツが取得できるか否かを判定する。取得できると判定した場合、表示制御部２００４は、ステップＳ２４０８に処理を進める。取得できないと判定した場合、表示制御部２００４は、ステップＳ２４０９に処理を進める。
【００８３】
次に、ステップＳ２４０８において、表示制御部２００４は、コンテンツを取得できると判定したコンテンツ情報を予め指定された通常の表示方法で表示装置１０７に表示する。表示制御部２００４は、図２１に示すように、コンテンツ情報を指定された表示場所に指定された表示サイズで表示する。例えば、図２１のコンテンツ情報２１０１〜２１０８、２１１０、２１１１及び２１１３は、コンテンツを取得できると判定したコンテンツ情報であり、通常の表示方法で表示されている。なお、表示場所、表示サイズに指定された値がなければ、表示制御部２００４は、デフォルトの値を用いてコンテンツ情報を表示する。また、表示制御部２００４は、表示する個数によって、表示場所、表示サイズに指定された値を変更してもよい。また、表示場所、表示サイズに指定される値は、ユーザによる入力装置１０６を介した指示により変更することができる。
【００８４】
一方、ステップＳ２４０９において、表示制御部２００４は、コンテンツを取得できないと判定されたコンテンツ情報の表示を、コンテンツを取得できると判定されたコンテンツ情報の表示と異なるように表示する。表示制御部２００４は、図２１に示すように、コンテンツ情報を、指定された表示場所に指定された表示サイズで、グレイアウトで表示する。例えば、図２１のコンテンツ情報２１０９、２１１２、２１１４及び２１１５は、コンテンツを取得できないと判定したコンテンツ情報であり、グレイアウトで表示されている。
【００８５】
ステップＳ２４１０において、表示制御部２００４は、表示装置１０７に表示された全てのコンテンツ情報に対して処理が終了しているか否かを判定する。終了していない場合は、表示制御部２００４は、ステップＳ２４０６に処理を戻す。終了している場合は、表示制御部２００４は、表示変更処理を終了する。
【００８６】
なお、ステップＳ２４０８及びステップＳ２４０９におけるコンテンツ情報の表示方法は、コンテンツ情報が指すコンテンツを取得できるか否かがわかるように区別して表示されていれば、どのような表示方法であってもよい。
【００８７】
図２５は、図２２のステップＳ２２０３における着目コンテンツ変更処理１の一例を示すフローチャートである。ここで、選択検出部２００７は、選択されたコンテンツ情報、即ち、着目コンテンツを検出しているものとする。
ステップＳ２５０１において、選択変更検出部２００８は、ユーザによるキーボードの右キーによる入力を検出したか否かを判定する（選択変更検出）。検出した場合、選択変更検出部２００８は、ステップＳ２５０５に処理を進める。検出していない場合、選択変更検出部２００８は、ステップＳ２５０２に処理を進める。
【００８８】
ステップＳ２５０５において、表示制御部２００４は、表示装置１０７に表示されている表示順序で、選択検出部２００７が検出しているコンテンツ情報の次にあるコンテンツ情報を着目コンテンツの候補として、コンテンツ情報記憶処理部２００３に記憶させる。例えば、図２１のコンテンツ情報２１０８が検出されている場合、表示制御部２００４は、コンテンツ情報２１０９を着目コンテンツの候補として、記憶させる。次に、表示制御部２００４は、ステップＳ２５０９に処理を進める。
【００８９】
ステップＳ２５０９において、表示制御部２００４は、選択が検出されているコンテンツ情報及び次にあるコンテンツ情報、即ち着目コンテンツ及び着目コンテンツの候補を基に、マーク移動処理を行う。マーク移動処理は、コンテンツ情報が選択されていることを示す表示（マーク）を移動させる処理である。ステップＳ２５０９におけるマーク移動処理については図２６のフローチャートで後述する。
【００９０】
ステップＳ２５０２において、選択変更検出部２００８が、ユーザによるキーボードの左キーによる入力を検出した場合、ステップＳ２５０６に処理を進める。検出しない場合、選択変更検出部２００８は、ステップＳ２５０３に処理を進める。
ステップＳ２５０３において、選択変更検出部２００８が、ユーザによるキーボードの上キーによる入力を検出した場合、ステップＳ２５０７に処理を進める。検出しない場合、選択変更検出部２００８は、ステップＳ２５０４に処理を進める。
ステップＳ２５０４において、選択変更検出部２００８が、ユーザによるキーボードの下キーによる入力を検出した場合、ステップＳ２５０８に処理を進める。検出しない場合、選択変更検出部２００８は、着目コンテンツ変更処理１の処理を終了する。
【００９１】
ステップＳ２５０６では、表示制御部２００４は、表示装置１０７に表示されている表示順序で、選択検出部２００７で検出しているコンテンツ情報の前にあるコンテンツ情報を着目コンテンツの候補としてコンテンツ情報記憶処理部２００３に記憶させる。
ステップＳ２５０７では、表示制御部２００４は、表示装置１０７に表示されている表示順序で、選択検出部２００７で検出しているコンテンツ情報の上にあるコンテンツ情報を着目コンテンツの候補としてコンテンツ情報記憶処理部２００３に記憶させる。
ステップＳ２５０８では、表示制御部２００４は、表示装置１０７に表示されている表示順序で、選択検出部２００７で検出しているコンテンツ情報の下にあるコンテンツ情報を着目コンテンツの候補としてコンテンツ情報記憶処理部２００３に記憶させる。
【００９２】
図２６は、ステップＳ２５０９におけるマーク移動処理の一例を示すフローチャートである。
まず、ステップＳ２６０１において、表示制御部２００４は、着目コンテンツと、コンテンツ情報記憶処理部２００３によって記憶された着目コンテンツの候補と、を表示するページが異なるか否かを判定する。異なる場合は、表示制御部２００４は、ステップＳ２６０４に処理を進める。同じ場合は、表示制御部２００４は、ステップＳ２６０２に処理を進める。
【００９３】
次に、ステップＳ２６０２において、アニメーション制御部２００５は、着目しているコンテンツ情報から着目コンテンツの候補のコンテンツ情報へと、マークが移動する様子をアニメーションで表示する。より具体的に説明すると、図２１のコンテンツ情報２１０８にマーク２１１６が表示されている場合、例えば、ユーザによる右キーを検出すると、アニメーション制御部２００５は、右隣のコンテンツ情報２１０９にマーク２１１６を移動する。また、アニメーション制御部２００５は、マークを移動するとき、図２７に示すように、マーク２１１６をコンテンツ情報２１０８の位置から、コンテンツ情報２１０９の位置へ少しずつ移動させながら画面を更新させる。従って、アニメーション制御部２００５は、ユーザに対して、マーク２１１６が移動しているように表示させることができる。
【００９４】
なお、ユーザによって選択されたコンテンツ情報が指すコンテンツの実体を取得できる場合、ユーザは、コンテンツに対して、例えばコンテンツを再生したり、削除したり、他のデバイスにコピーしたり等の有効な操作を実行することができる。一方、コンテンツの実体を取得できない場合は、表示制御部２００４は、記録装置一覧情報に基づいてコンテンツが取得できない理由を表示したり、コンテンツの属性情報を表示したりする。
【００９５】
一方、ステップＳ２６０４において、アニメーション制御部２００５は、着目しているコンテンツ情報から異なるページの着目コンテンツの候補のコンテンツ情報へと、マークが移動する様子をアニメーションで表示する。
図２８は、異なるページへのページ送りをしたときのアニメーションの一例を示した図である。アニメーション制御部２００５は、図２８で示すように表示画面２１００のページを左に移動させる。続いて、アニメーション制御部２００５は、コンテンツにアクセスできるコンテンツのコンテンツ情報が表示されていないページ２８０１、２８０２、２８０３を左に順次、アニメーションで移動させる。そして、アニメーション制御部２００５は、アクセスできるコンテンツのコンテンツ情報が表示されているページ２８０４を表示する。
【００９６】
ステップＳ２６０３において、表示制御部２００４は、着目コンテンツの候補のコンテンツ情報を着目コンテンツとして、コンテンツ情報記憶処理部２００３に記憶させる。
【００９７】
なお、ステップＳ２６０４において、アニメーション制御部２００５は、移動前と移動後とのページ以外のページを順次、移動させるように表示したが、移動させるように表示しなくてもよい。但し、アニメーション制御部２００５は、ページ間を移動する間に、ページがどれだけあるかがわかるように表示する。
また、図２６のフローチャートでは、マークを移動するアニメーションを行ってから着目コンテンツを記憶するよう説明を行ったが、着目コンテンツを記憶した後に、アニメーション制御部２００５は、マークを移動するアニメーション表示を行ってもよい。
【００９８】
図２９は、第５の実施形態に係る図２２のステップＳ２２０４における着目コンテンツ変更処理２の一例を示すフローチャートである。ここで、選択検出部２００７は、選択されたコンテンツ情報、即ち、着目コンテンツを検出しているものとする。
ステップＳ２９０１において、選択変更検出部２００８は、ユーザによるキーボードの右キーによる長押しを検出したか否かを判定する（選択変更検出）。検出した場合、選択変更検出部２００８は、ステップＳ２９０５に処理を進める。検出しない場合、選択変更検出部２００８は、ステップＳ２９０２に処理を進める。
【００９９】
ステップＳ２９０５において、表示制御部２００４は、表示装置１０７に表示されている表示順序で、選択検出部２００７が検出しているコンテンツ情報の次にあるコンテンツ情報を着目コンテンツの候補として、コンテンツ情報記憶処理部２００３に記憶させる。例えば、図２１ではコンテンツ情報２１０８が検出されている場合は、表示制御部２００４は、コンテンツ情報２１０９を着目コンテンツの候補として、記憶させる。次に、表示制御部２００４は、ステップＳ２９０６に処理を進める。
【０１００】
ステップＳ２９０６において、表示制御部２００４は、候補の着目コンテンツであるコンテンツ情報が指すコンテンツの実体を取得できるか否かを判定する（選択判定）。この判定は、ステップＳ２４０５で上述したように、例えば、表示制御部２００４が、装置情報と、記録装置状態情報と、に基づいてコンテンツが取得できるか否かを判定する。取得できる場合は、表示制御部２００４は、ステップＳ２９１７に処理を進める。取得できない場合は、表示制御部２００４は、ステップＳ２９０７に処理を進める。
【０１０１】
次に、ステップＳ２９０７において、表示制御部２００４は、表示装置１０７に表示されている表示順序で、候補の着目コンテンツの次にあるコンテンツ情報を着目コンテンツとして、新たにコンテンツ情報記憶処理部２００３に記憶させる。
【０１０２】
ステップＳ２９０２において、選択変更検出部２００８が、ユーザによるキーボードの左キーによる長押しを検出した場合、ステップＳ２９０８に処理を進める。検出しない場合、選択変更検出部２００８は、ステップＳ２９０３に処理を進める。
ステップＳ２９０３において、選択変更検出部２００８が、ユーザによるキーボードの上キーによる長押しを検出した場合、ステップＳ２９１１に処理を進める。検出しない場合、ステップＳ２９０４に処理を進める。
ステップＳ２９０４において、選択変更検出部２００８が、ユーザによるキーボードの下キーによる長押しを検出した場合、ステップＳ２９１４に処理を進める。検出しない場合、選択変更検出部２００８は、着目コンテンツ変更処理２の処理を終了する。
【０１０３】
ステップＳ２９０８では、ステップＳ２９０５と同様、表示制御部２００４は、表示順序で、選択検出部２００７が検出しているコンテンツ情報の前にあるコンテンツ情報を着目コンテンツの候補として、コンテンツ情報記憶処理部２００３に記憶させる。
ステップＳ２９１１では、ステップＳ２９０５と同様、表示制御部２００４は、表示順序で、選択検出部２００７が検出しているコンテンツ情報の上にあるコンテンツ情報を着目コンテンツの候補として、コンテンツ情報記憶処理部２００３に記憶させる。
ステップＳ２９１４では、ステップＳ２９０５と同様、表示制御部２００４は、表示順序で、選択検出部２００７が検出しているコンテンツ情報の下にあるコンテンツ情報を着目コンテンツの候補として、コンテンツ情報記憶処理部２００３に記憶させる。
【０１０４】
ステップＳ２９０９、ステップＳ２９１２及びステップＳ２９１５では、ステップＳ２９０６と同様の処理を行う。即ち、表示制御部２００４は、候補の着目コンテンツであるコンテンツ情報が指すコンテンツの実体を取得できるか否かを判定する（選択判定）。取得できる場合は、表示制御部２００４は、ステップＳ２９１７に処理を進める。取得できない場合は、表示制御部２００４は、それぞれ、ステップＳ２９１０、ステップＳ２９１３、ステップＳ２９１６に処理を進める。
【０１０５】
ステップＳ２９１０では、ステップＳ２９０７と同様、表示制御部２００４は、表示順で、候補の着目コンテンツの前にあるコンテンツ情報を着目コンテンツとして、新たにコンテンツ情報記憶処理部２００３に記憶させ、ステップＳ２９０９に処理を戻す。
ステップＳ２９１３では、ステップＳ２９０７と同様、表示制御部２００４は、表示順で、候補の着目コンテンツの前にあるコンテンツ情報を着目コンテンツとして、新たにコンテンツ情報記憶処理部２００３に記憶させ、ステップＳ２９１２に処理を戻す。
ステップＳ２９１６では、ステップＳ２９０７と同様、表示制御部２００４は、表示順で、候補の着目コンテンツの次にあるコンテンツ情報を着目コンテンツとして、新たにコンテンツ情報記憶処理部２００３に記憶させ、ステップＳ２９１５に処理を戻す。
【０１０６】
ステップＳ２９１７において、アニメーション制御部２００５は、図２６のフローチャートで説明したマーク移動処理を行う。
例えば、図２１で示すようにコンテンツ情報２１０８にマーク２１１６が表示されているとき、ユーザによる右キーの長押しを検出すると、アニメーション制御部２００５は、コンテンツの実体にアクセスできるコンテンツ情報２１１０へマークを移動する。また、アニメーション制御部２００５は、マークを移動するとき、図３０に示すように、マーク２１１６をコンテンツ情報２１０８の位置から、コンテンツ情報２１１０の位置へ少しずつ移動させながら画面を更新させる。従って、アニメーション制御部２００５は、ユーザに対して、マーク２１１６が移動しているように表示することができる。
【０１０７】
なお、マークの移動は、等速で直線的に移動させる場合に限られない。例えば、アニメーション制御部２００５は、マークを加速させて移動させたり、マークを曲線的に移動させたり、マークを回転させながら移動させたり、マークを一度消してまた表示させながら移動させたりしてもよい。即ち、アニメーション制御部２００５は、着目コンテンツの位置があるコンテンツ情報から別のコンテンツ情報へと変更したことがユーザに認識できればマークの移動方法は、どのような形態であってもよい。
【０１０８】
また、第５の実施形態では、入力装置１０６としてキーボードを用いて説明したが、この場合に限られず、例えば、マウスやリモコン装置等であってもよい。このとき、キーボードのキーの長押しを、例えば、マウスによるクリック又はダブルクリックや、リモコン装置による早送りキー又は次キー等に割り当てればよい。即ち、２種類の入力方法を有する入力装置であればよい。
【０１０９】
このように、第５の実施形態によれば、アクセスすることができないコンテンツのコンテンツ情報の表示を変更することができる。従って、ユーザは、コンテンツ情報からコンテンツを選択する操作の効率を向上させることができる。
【０１１０】
また、第５の実施形態によれば、ユーザの選択操作により選択されたコンテンツ情報が、コンテンツを取得できない場合、取得できるコンテンツのコンテンツ情報を選択するので、ユーザは、アクセスすることができるコンテンツが認識できる。
【０１１１】
（第６の実施形態）
図３１は、第６の実施形態に係る図２２のステップＳ２２０４における着目コンテンツ変更処理２の一例を示すフローチャートである。ここで、選択検出部２００７は、選択されたコンテンツ情報、即ち、着目コンテンツを検出しているものとする。
図３１に示すフローチャートにおいて、ステップＳ３１０１〜ステップＳ３１１６は、それぞれ図２９に示すフローチャートにおけるステップＳ２９０１〜ステップＳ２９１６と同一の処理であるので、説明を省略する。本実施形態では、ステップＳ３１０４において、選択変更検出部２００８が、ユーザによるキーボードの下キーによる長押しを検出しない場合、ステップＳ３１１７に処理を進める。
【０１１２】
ステップＳ３１１７において、表示制御部２００４は、着目コンテンツのコンテンツ情報が指すコンテンツの実体が、取得できる状態から取得できない状態に変更されたか否かを判定する。変更された場合、表示制御部２００４は、ステップＳ３１１８に処理を進める。変更されていない場合、表示制御部２００４は、着目コンテンツ変更処理２の処理を終了する。
【０１１３】
ステップＳ３１１８において、表示制御部２００４は、表示装置１０７に表示されている表示順序で、選択検出部２００７が検出しているコンテンツ情報の次にあるコンテンツ情報を着目コンテンツの候補として、コンテンツ情報記憶処理部２００３に記憶させる。次に、表示制御部２００４は、ステップＳ３１１９に処理を進める。
【０１１４】
ステップＳ３１１９において、表示制御部２００４は、候補の着目コンテンツであるコンテンツ情報が指すコンテンツの実体を取得できるか否かを判定する（選択判定）。取得できる場合は、表示制御部２００４は、ステップＳ３１２１に処理を進める。取得できない場合は、表示制御部２００４は、ステップＳ３１２０に処理を進める。
【０１１５】
次に、ステップＳ３１２０において、表示制御部２００４は、表示装置１０７に表示されている表示順序で、候補の着目コンテンツの次にあるコンテンツ情報を着目コンテンツとして、新たにコンテンツ情報記憶処理部２００３に記憶させる。次に、表示制御部２００４は、ステップＳ３１１９に処理を戻す。
【０１１６】
ステップＳ３１２１において、アニメーション制御部２００５は、図２６のフローチャートで説明したマーク移動処理を行う。
例えば、図２１において、着目コンテンツのコンテンツ情報２１０８がコンテンツを取得できる状態から取得できない状態に変更された場合、表示制御部２００４は、コンテンツの実体を取得できるコンテンツ情報２１１０を着目コンテンツとして記憶させる。また、アニメーション制御部２００５は、マーク２１１６をコンテンツ情報２１１０に移動する。
【０１１７】
なお、第６の実施形態によれば、着目コンテンツを表示順序で次のコンテンツ情報に変更する場合について説明したが、前、上及び下のうち何れかのコンテンツ情報に変更してもよい。
【０１１８】
このように、第６の実施形態によれば、記録装置の接続が解除された場合であっても、コンテンツにアクセスすることができるコンテンツ情報を選択しているため、ユーザのコンテンツ情報に対する操作性を向上させることができる。
【０１１９】
上述した本発明の実施形態における表示処理装置を構成する各手段、並びに表示処理方法の各ステップは、コンピュータのＲＡＭやＲＯＭ等に記憶されたプログラムが動作することによって実現できる。このプログラム及び前記プログラムを記録したコンピュータ読取可能な記録媒体は本発明に含まれる。
【０１２０】
また、本発明は、例えば、システム、装置、方法、プログラムもしくは記録媒体等としての実施形態も可能であり、具体的には、複数の機器からなるシステムに適用してもよい。
【０１２１】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【０１２２】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【０１２３】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【０１２４】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【０１２５】
【図１】第１の実施形態に係る表示処理装置のハードウェア構成の一例を示す図である。
【図２】第１の実施形態に係る表示処理装置の機能構成の一例を示す図である。
【図３】記録装置の接続解除時の処理の一例を示すフローチャートである。
【図４】第１の実施形態に係るコンテンツの評価値算出処理の一例を示すフローチャートである。
【図５】第１の実施形態に係るコンテンツの評価値に基づいたコンテンツ情報の処理の一例を示すフローチャートである。
【図６】第１の実施形態に係る、記録装置が接続解除される前のコンテンツ情報の一覧を表示した一例を示す図である。
【図７】コンテンツ情報の一覧を表示した状態から記録装置Ａの接続が解除された後のコンテンツ情報の一覧を表示した一例を示す図である。
【図８】コンテンツの表示履歴情報のデータ構造の一例を示す図である。
【図９】第２の実施形態に係るコンテンツの評価値算出処理の一例を示すフローチャートである。
【図１０】第２の実施形態に係るコンテンツの評価値に基づいてコンテンツ情報の処理の一例を示すフローチャートである。
【図１１】第２の実施形態に係る記録装置が接続解除される前のコンテンツ情報の一覧を表示した一例を示す図である。
【図１２】コンテンツ情報の一覧を表示した状態から記録装置Ｂの接続が解除された後のコンテンツ情報の一覧を表示した一例を示す図である。
【図１３】コンテンツ情報の一覧を表示した状態から記録装置Ｂの接続が解除されてから、１週間経過後のコンテンツ情報の一覧を表示した一例を示す図である。
【図１４】コンテンツ情報の一覧を表示した状態から記録装置Ｂの接続が解除されてから、３ヶ月経過後のコンテンツ情報の一覧を表示した一例を示す図である。
【図１５】記録装置の接続履歴情報のデータ構造の一例を示す図である。
【図１６】第３の実施形態に係るコンテンツの評価値算出処理の一例を示すフローチャートである。
【図１７】記録装置の登録及び登録解除を行うための表示の一例を示す図である。
【図１８】登録された記録装置を示す登録記録装置情報のデータ構造の一例を示す図である。
【図１９】第４の実施形態に係るコンテンツの評価値算出処理の一例を示すフローチャートである。
【図２０】第５の実施形態に係る表示処理装置の機能構成の一例を示す図である。
【図２１】第５の実施形態に係るコンテンツ情報の一覧を表示した一例を示す図である。
【図２２】表示処理装置の処理の一例を示すフローチャートである。
【図２３】一覧表示処理の一例を示すフローチャートである。
【図２４】表示変更処理の一例を示すフローチャートである。
【図２５】着目コンテンツ変更処理１の一例を示すフローチャートである。
【図２６】マーク移動処理の一例を示すフローチャートである。
【図２７】マークを移動させながら画面を更新させる一例について説明するための図である。
【図２８】異なるページへのページ送りをしたときのアニメーションの一例を示した図である。
【図２９】第５の実施形態に係る着目コンテンツ変更処理２の一例を示すフローチャートである。
【図３０】マークを移動させながら画面を更新させる一例について説明するための図である。
【図３１】第６の実施形態に係る着目コンテンツ変更処理２の一例を示すフローチャートである。
【符号の説明】
【０１２６】
１、２      表示処理装置
１０１      バス
１０２      ＣＰＵ
１０３      ＲＯＭ
１０４      ＲＡＭ
１０５      記憶装置
１０６      入力装置
１０７      表示装置
１０８      通信インタフェース
１０９      計時装置
１１１      記録装置
２０１      コンテンツ情報保持部
２０２      評価値算出部
２０３      接続検知部
２０４      コンテンツ情報削除部
２０５      表示制御部
２０６      計時制御部
２０７      コンテンツ表示履歴記憶処理部
２０８      記録装置接続履歴記憶処理部
２０９      登録記録装置記憶処理部
６００      表示画面
６１１〜６１５  コンテンツ情報
７０１〜７０３  コンテンツ情報
７１１、７１２  削除されたコンテンツ情報
８００          表示履歴情報のデータ全体
１１００〜１１０６  表示中のページに含まれるコンテンツ情報
１１１１〜１１１８  未表示のページに含まれるコンテンツ情報
１１２１〜１１２５  コンテンツ情報
１２０１〜１２０３  コンテンツ情報
１５００    接続履歴情報のデータ全体
１７００    設定画面
１８００    登録記録装置情報のデータ全体
２００１    記録装置状態問合せ部
２００２    記録装置一覧記憶処理部
２００３    コンテンツ情報記憶処理部
２００４    表示制御部
２００５    アニメーション制御部
２００６    通信制御部
２００７    選択検出部
２００８    選択変更検出部
２１００    表示画面
２１０１〜２１１５  コンテンツ情報
２１１６    マーク
【図１】
2009017356.tif 000003
【図２】
2009017356.tif 000004
【図３】
2009017356.tif 000005
【図４】
2009017356.tif 000006
【図５】
2009017356.tif 000007
【図６】
2009017356.tif 000008
【図７】
2009017356.tif 000009
【図８】
2009017356.tif 000010
【図９】
2009017356.tif 000011
【図１０】
2009017356.tif 000012
【図１１】
2009017356.tif 000013
【図１２】
2009017356.tif 000014
【図１３】
2009017356.tif 000015
【図１４】
2009017356.tif 000016
【図１５】
2009017356.tif 000017
【図１６】
2009017356.tif 000018
【図１７】
2009017356.tif 000019
【図１８】
2009017356.tif 000020
【図１９】
2009017356.tif 000021
【図２０】
2009017356.tif 000022
【図２１】
2009017356.tif 000023
【図２２】
2009017356.tif 000024
【図２３】
2009017356.tif 000025
【図２４】
2009017356.tif 000026
【図２５】
2009017356.tif 000027
【図２６】
2009017356.tif 000028
【図２７】
2009017356.tif 000029
【図２８】
2009017356.tif 000030
【図２９】
2009017356.tif 000031
【図３０】
2009017356.tif 000032
【図３１】
2009017356.tif 000033